(57)【要約】【課題】設置面平行方向で効率の良い通信が可能で、金属面上に設置した場合においてもアンテナ特性を損なわない無線通信アンテナを内蔵した携帯型情報機器台を提供する。【解決手段】携帯型情報機器１は、クレードル２に据え置かれ、クレードルケース２Ａ内には、携帯型情報機器１の正面１０と反対側の面に重なるように基板５、基板６、およびアンテナ４が設置され、設置面２Ｂと平行に高透磁率材が設置される。アンテナ４は設置面２Ｂに対し垂直に基板５上に設けられ、基板６も基板上に設けられる。アンテナ４は、基板５の上端からｄ１の間隔を設け、また携帯型情報機器１の正面１０の右端の延長線よりｄ２の間隔を設け、また基板６の右端よりｄ３の間隔を設けて設置される。また、高透磁率材８は可能な限りアンテナ４の近傍に設置される。【選択図】図５
2007180817.tif 000002
【特許請求の範囲】
【請求項１】
画像情報および音声情報を記録、再生可能な携帯型情報機器と、
前記携帯型情報機器を装着することにより前記携帯型情報機器を設置でき、前記携帯型情報機器の接続端子と接続することにより相互通信するクレードルと、
前記クレードル内に前記クレードルの設置面に対し垂直に配置されるアンテナ搭載基板と、
前記アンテナ搭載基板上に前記設置面に対し垂直搭載され、前記携帯型情報機器の下端と所定の間隔を有するとともに前記携帯型情報機器の左右いずれかの端より所定の間隔を有して設置されるモノポールアンテナとを有することを特徴とする無線通信アンテナを内蔵した携帯型情報機器台。
【請求項２】
画像情報および音声情報を記録、再生可能な携帯型情報機器と、
前記携帯型情報機器を装着することにより前記携帯型情報機器を設置でき、前記携帯型情報機器の接続端子と接続することにより相互通信するクレードルと、
前記クレードル内に前記クレードルの設置面に対し垂直に配置されるアンテナ搭載基板と、
前記アンテナ搭載基板上に前記設置面に対し垂直搭載され、前記携帯型情報機器の下端より少なくとも３０ｍｍの間隔を有するとともに前記携帯型情報機器の左右いずれかの端より少なくとも３０ｍｍの間隔を有して設置されて２．４５ＧＨｚの電波を送受信するモノポールアンテナとを有することを特徴とする無線通信アンテナを内蔵した携帯型情報機器台。
【請求項３】
画像情報および音声情報を記録、再生可能な携帯型情報機器と、
前記携帯型情報機器を装着することにより前記携帯型情報機器を設置でき、前記携帯型情報機器の接続端子と接続することにより相互通信するクレードルと、
前記クレードル内に前記クレードルの設置面に対し垂直に配置されるアンテナ搭載基板と、
前記アンテナ搭載基板上に設置され、電気処理機能を有する情報処理基板と、
前記アンテナ搭載基板上に前記設置面に対し垂直搭載され、前記携帯型情報機器の下端との所定の間隔と、前記携帯型情報機器の左右いずれかの端からの所定の間隔と、前記情報処理基板の上下左右いずれかの端からの所定の間隔を有して設置されるモノポールアンテナとを有することを特徴とする無線通信アンテナを内蔵した携帯型情報機器台。
【請求項４】
画像情報および音声情報を記録、再生可能な携帯型情報機器と、
前記携帯型情報機器を装着することにより前記携帯型情報機器を設置でき、前記携帯型情報機器の接続端子と接続することにより相互通信するクレードルと、
前記クレードル内に前記クレードルの設置面に対し垂直に配置されるアンテナ搭載基板と、
前記アンテナ搭載基板上に前記設置面に対し垂直搭載され、前記携帯型情報機器の下端より少なくとも３０ｍｍの間隔と、前記携帯型情報機器の左右いずれかの端より少なくとも３０ｍｍの間隔と、前記情報処理基板の上下左右いずれかの端より少なくとも３０ｍｍの間隔を有して設置されて２．４５ＧＨｚの電波を送受信するモノポールアンテナとを有することを特徴とする無線通信アンテナを内蔵した携帯型情報機器台。
【請求項５】
前記クレードルは、前記設置面に平行に前記アンテナの下方に設けられる高透磁率材を有することを特徴とする請求項１から４のいずれかに記載の無線通信アンテナを内蔵した携帯型情報機器台。
【発明の詳細な説明】
【技術分野】
【０００１】
本発明は、携帯型情報機器の情報を受信および送信するための、無線通信アンテナを内蔵した携帯型情報機台に関する。
【背景技術】
【０００２】
従来の技術として、音情報等を録音、再生できる携帯型情報機器の付属品として、携帯型情報機器に装着する無線アダプタと別体のリモートコントローラを有する無線機器が知られている（例えば、非特許文献１）。
【０００３】
この無線機器によると、無線アダプタは携帯型情報機器の台座の役割を果たし、台座中にアンテナを設けることによりリモートコントローラと交信する。携帯型情報機器の情報は、無線アダプタにより送信され、リモートコントローラで受信される。また、リモートコントローラを操作し、操作情報を送信することにより携帯型情報機器を制御することが可能である。情報の送受信には２．４５ＧＨｚの電波が使用されており、約３〜１０ｍの距離まで送受信が可能である。
【非特許文献１】ＴＥＮ Technology［online］[平成１７年１２月７日検索]、インターネット＜ＵＲＬ：http://www.tentechnology.com/products/products_naviplay.php＞
【発明の開示】
【発明が解決しようとする課題】
【０００４】
しかし、従来の無線機器によると、無線アダプタ中のアンテナは台座設置面と平行に配置されており、電波発信方向が台座設置面の法線方向となり、通常面平行方向での通信が多い無線機器の使用状況においては効率の良い通信ができないという問題がある。また、アンテナ上部には携帯型情報機器が配置されるため、電波を遮り効率の良い通信ができないという問題がある。また、台座設置面が金属である場合、鏡面効果によりアンテナ特性が劣化するという問題がある。
【０００５】
従って、本発明の目的は、設置面平行方向で効率の良い通信が可能で、金属面上に設置した場合においてもアンテナ特性を損なわない無線通信アンテナを内蔵した携帯型情報機器台を提供することにある。
【課題を解決するための手段】
【０００６】
（１）本発明は上記目的を達成するため、画像情報および音声情報を記録、再生可能な携帯型情報機器と、前記携帯型情報機器を装着することにより前記携帯型情報機器を設置でき、前記携帯型情報機器の接続端子と接続することにより相互通信するクレードルと、前記クレードル内に前記クレードルの設置面に対し垂直に配置されるアンテナ搭載基板と、前記アンテナ搭載基板上に前記設置面に対し垂直搭載され、前記携帯型情報機器の下端と所定の間隔を有するとともに前記携帯型情報機器の左右いずれかの端より所定の間隔を有して設置されるモノポールアンテナとを有する無線通信アンテナを内蔵した携帯型情報機器台を提供する。
【０００７】
（２）また、本発明は上記目的を達成するため、画像情報および音声情報を記録、再生可能な携帯型情報機器と、前記携帯型情報機器を装着することにより前記携帯型情報機器を設置でき、前記携帯型情報機器の接続端子と接続することにより相互通信するクレードルと、前記クレードル内に前記クレードルの設置面に対し垂直に配置されるアンテナ搭載基板と、前記アンテナ搭載基板上に前記設置面に対し垂直搭載され、前記携帯型情報機器の下端より少なくとも３０ｍｍの間隔を有するとともに前記携帯型情報機器の左右いずれかの端より少なくとも３０ｍｍの間隔を有して設置されて２．４５ＧＨｚの電波を送受信するモノポールアンテナとを有する無線通信アンテナを内蔵した携帯型情報機器台を提供する。
【０００８】
（３）また、本発明は上記目的を達成するため、画像情報および音声情報を記録、再生可能な携帯型情報機器と、前記携帯型情報機器を装着することにより前記携帯型情報機器を設置でき、前記携帯型情報機器の接続端子と接続することにより相互通信するクレードルと、前記クレードル内に前記クレードルの設置面に対し垂直に配置されるアンテナ搭載基板と、前記アンテナ搭載基板上に設置され、電気処理機能を有する情報処理基板と、前記アンテナ搭載基板上に前記設置面に対し垂直搭載され、前記携帯型情報機器の下端との所定の間隔と、前記携帯型情報機器の左右いずれかの端からの所定の間隔と、前記情報処理基板の上下左右いずれかの端からの所定の間隔を有して設置されるモノポールアンテナとを有する無線通信アンテナを内蔵した携帯型情報機器台を提供する。
【０００９】
（４）また、本発明は上記目的を達成するため、画像情報および音声情報を記録、再生可能な携帯型情報機器と、前記携帯型情報機器を装着することにより前記携帯型情報機器を設置でき、前記携帯型情報機器の接続端子と接続することにより相互通信するクレードルと、前記クレードル内に前記クレードルの設置面に対し垂直に配置されるアンテナ搭載基板と、前記アンテナ搭載基板上に前記設置面に対し垂直搭載され、前記携帯型情報機器の下端より少なくとも３０ｍｍの間隔と、前記携帯型情報機器の左右いずれかの端より少なくとも３０ｍｍの間隔と、前記情報処理基板の上下左右いずれかの端より少なくとも３０ｍｍの間隔を有して設置されて２．４５ＧＨｚの電波を送受信するモノポールアンテナとを有する無線通信アンテナを内蔵した携帯型情報機器台を提供する。
【発明の効果】
【００１０】
本発明によれば、設置面平行方向で効率の良い通信が可能で、金属面上に設置した場合においてもアンテナ特性を損なわずに通信することが可能となる。
【発明を実施するための最良の形態】
【００１１】
以下に、本発明の無線通信アンテナを内蔵した携帯型情報機器台の実施の形態を図面を参考にして詳細に説明する。
【００１２】
〔第１の実施の形態〕
（携帯型情報機器とその台の構成）
図１（ａ）は、本発明の第１の実施の形態に係る無線通信アンテナを内蔵した携帯型情報機器台の概略構成図である。図１（ｂ）は、携帯型情報機器をクレードルに装着した状態を示す図である。
【００１３】
この携帯型情報機器台は、送受信用のアンテナを内部に含むクレードル２と、情報を受信し操作情報を送信するリモコン３とで構成される。
【００１４】
携帯型情報機器１は、内部にＣＰＵ（Ｃｅｎｔｒａｌ Ｐｒｏｃｅｓｓｉｎｇ Ｕｎｉｔ）や、小型のＨＤＤ（Ｈａｒｄ Ｄｉｓｃ Ｄｒｉｖｅ）等の電子部品を有し、正面１０には文字、画像等を表示する表示部１００と、表示項目を操作するためのタッチパッド１０１とを有する。右側面１１には、電源スイッチ１１０、メニュースイッチ１１１、音量スイッチ１１２、およびファンクションスイッチ１１３を有する。上側面１２には、ヘッドホン端子１２０、ホールドスイッチ１２１、および外部電源端子１２２を有する。下側面１３には、接続端子２００Ａを有する。
【００１５】
クレードル２は、内部に情報送受信用のアンテナ、およびアンテナ制御部を搭載した基板を有し、携帯型情報機器１のハメ込み部分に接続端子２００Ａと電気的に接続される接続端子２００Ｂを有する。
【００１６】
リモコン３は、本体表面に再生スイッチ３００と、音量スイッチ３０１と、ファンクションスイッチ３０２を有し、音声再生用のイヤホン３１が接続されている。
【００１７】
（クレードルの構成）
図２（ａ）は、本発明の第１の実施の形態に関するクレードル内部の構成配置図であり、右側面方向からの平面図である。図２（ｂ）は、正面方向からの平面図である。
【００１８】
携帯型情報機器１は、クレードル２に据え置かれ、クレードルケース２Ａ内には、携帯型情報機器１と同一面内に基板５、基板６、およびアンテナ４が設置される。
【００１９】
アンテナ４は設置面２Ｂに対し垂直に基板５上に設けられ、基板６も基板５上に設けられる。アンテナ４は、基板５の上端からｄ１の間隔を設け、また携帯型情報機器１の正面１０の右端の延長線よりｄ２の間隔を設け、また基板６の右端よりｄ３の間隔を設けて設置される。
【００２０】
なお、アンテナはλ／４の長さを有するモノポールであり、基板と接続することでλ／２のダイポールとして機能する。その場合、アンテナの使用周波数が２．４５ＧＨｚの場合、間隔ｄ１、ｄ２、ｄ３はそれぞれ少なくとも３０ｍｍ以上設けるものとする。
【００２１】
（動作）
以下に、本発明の第１の実施の形態における無線通信アンテナを内蔵した携帯型情報機器台の動作を図１から図３を参照しつつ説明する。
【００２２】
図３は、本発明の実施の形態に関するモノポールアンテナの放射能率と障害物との距離の関係を示し、（ａ）は障害物とアンテナとのオフセットを示す図、（ｂ）はオフセット量に対する放射能率の変化を示す図である。
【００２３】
図３（ａ）に示すように基板５上にアンテナ４が設置されている場合、アンテナと障害物７のオフセットをｄとしたとき、放射能率は図３（ｂ）に示すような特性を示す。第１の実施の形態に示す構成によれば、２．４５ＧＨｚの電磁波の場合、λ／４に相当する３０ｍｍ以上において９５％以上の能率が得られることがわかる。
【００２４】
リモコン３に設けられたスイッチ類、またはタッチパッド１０１、および上側面１２や右側面１１に設けられたスイッチ類を操作することにより音声情報等を再生すると、接続端子２００Ａおよび接続端子２００Ｂを介し、情報がクレードル２へ送信され基板５および基板６により処理された後、アンテナ４により情報が送信されリモコン３に内蔵されたアンテナおよび電波処理部を介して音声情報等がイヤホン３１より出力される。
【００２５】
リモコン３に設けられたスイッチ類を操作した場合は、リモコン３に内蔵された電波処理部とアンテナを介し情報が電波として送信され、アンテナ４と基板５と基板６を介して電波は信号に変換され、接続端子２００Ｂと接続端子２００Ａを介し、携帯型情報機器１へと操作情報が伝達される。
【００２６】
（第１の実施の形態の効果）
上記した実施の形態によると、アンテナ４を設置面２Ｂと垂直に配置したことにより、通常リモコン３が位置すると想定される設置面２Ｂ平行方向の範囲において電波の送受信の効率が高まる。
【００２７】
また、ｄ１、ｄ２、ｄ３を所定の数値で設けたことにより、垂直方向のアンテナ４と携帯型情報機器１との間隔、水平方向のアンテナ４と携帯型情報機器１との間隔、および水平方向のアンテナ４と基板６との間隔を確保することができ、アンテナ４がλ／２ダイポールとして機能することにより放射効率が十分に得られる。
【００２８】
また、携帯型情報機器１と同一面内にアンテナ４、基板５、および基板６を配置したことにより、クレードルケース２の設置面２Ｂ垂直方向の突起部を薄型に形成することが可能となる。
【００２９】
〔第２の実施の形態〕
（クレードルの構成）
図４（ａ）は、本発明の第２の実施の形態に関するクレードル内部の構成配置図であり、右側面方向からの平面図である。図４（ｂ）は、正面方向からの平面図である。なお、なお、以下の説明において、第１の実施の形態と同一の構成および機能を有する部分については共通の符号を付している。
【００３０】
携帯型情報機器１は、クレードル２に据え置かれ、クレードルケース２Ａ内には、携帯型情報機器１の正面１０と反対側の面に重なるように基板５、基板６、およびアンテナ４が設置される。
【００３１】
アンテナ４は設置面２Ｂに対し垂直に基板５上に設けられ、基板６も基板上に設けられる。このアンテナ４は、基板５の上端からｄ１の間隔を設け、また携帯型情報機器１の正面１０の右端の延長線よりｄ２の間隔を設け、また基板６の右端よりｄ３の間隔を設けて設置される。
【００３２】
なお、アンテナ４はλ／４の長さを有するモノポールであり、基板と接続することでλ／２のダイポールとして機能する。その場合、アンテナ４の使用周波数が２．４５ＧＨｚの場合、間隔ｄ１、ｄ２、ｄ３はそれぞれ少なくとも３０ｍｍ以上設けるものとする。
【００３３】
（第２の実施の形態の効果）
上記した実施の形態によると、アンテナ４を設置面２Ｂと垂直に配置したことにより、通常リモコン３が位置すると想定される設置面２Ｂ平行方向の範囲において電波の送受信の効率が高まる。
【００３４】
また、ｄ１、ｄ２、ｄ３を所定の数値で設けたことにより、垂直方向のアンテナ４と携帯型情報機器１との間隔、水平方向のアンテナ４と携帯型情報機器１との間隔、および水平方向のアンテナ４と基板６との間隔を確保することができ、アンテナ４がλ／２ダイポールとして機能することにより放射効率が十分に得られる。
【００３５】
また、携帯型情報機器１の正面１０と反対側の面に重ねるようにアンテナ４、基板５、および基板６を配置したことにより、クレードルケース２の設置面２Ｂ垂直方向の突起部を短く小型に形成することが可能となる。
【００３６】
〔第３の実施の形態〕
（クレードルの構成）
図５（ａ）は、本発明の第３の実施の形態に関するクレードル内部の構成配置図であり、右側面方向からの平面図である。図５（ｂ）は、正面方向からの平面図である。
【００３７】
携帯型情報機器１は、クレードル２に据え置かれ、クレードルケース２Ａ内には、携帯型情報機器１の正面１０と反対側の面に重なるように基板５、基板６、およびアンテナ４が設置され、設置面２Ｂと平行に高透磁率材が設置される。
【００３８】
アンテナ４は設置面２Ｂに対し垂直に基板５上に設けられ、基板６も基板上に設けられる。このアンテナ４は、基板５の上端からｄ１の間隔を設け、また携帯型情報機器１の正面１０の右端の延長線よりｄ２の間隔を設け、また基板６の右端よりｄ３の間隔を設けて設置される。また、高透磁率材８は可能な限りアンテナ４の近傍に設置される。
【００３９】
なお、アンテナはλ／４の長さを有するモノポールであり、基板と接続することでλ／２のダイポールとして機能する。その場合、アンテナの使用周波数が２．４５ＧＨｚの場合、間隔ｄ１、ｄ２、ｄ３はそれぞれ少なくとも３０ｍｍ以上設けるものとする。
【００４０】
（第３の実施の形態の効果）
上記した実施の形態によると、設置面２Ｂとアンテナ４の間に高透磁率材８を設置面２Ｂに対し平行に設置したことにより、設置面２Ｂが金属である場合に鏡面効果によって生じるアンテナ４の送受信の効率減少を防ぐことができる。
【００４１】
また、第１および第２の実施の形態と同様に、アンテナ４を設置面２Ｂと垂直に配置したことにより、通常リモコン３が位置すると想定される設置面２Ｂ平行方向の範囲において電波の送受信の効率が高まる。
【００４２】
また、ｄ１、ｄ２、ｄ３を所定の数値で設けたことにより、垂直方向のアンテナ４と携帯型情報機器１との間隔、水平方向のアンテナ４と携帯型情報機器１との間隔、および水平方向のアンテナ４と基板６との間隔を確保することができ、アンテナ４がλ／２ダイポールとして機能することにより放射効率が十分に得られる。
【００４３】
なお、アンテナ４、基板５、基板６は、第１の実施の形態と同様に図２に示すように携帯型情報機器１と同一面内に配置してもよい。
【図面の簡単な説明】
【００４４】
【図１】（ａ）は、本発明の第１の実施の形態に係る無線通信アンテナを内蔵した携帯型情報機器台の概略構成図である。（ｂ）は、携帯型情報機器をクレードルに装着した状態を示す図である。
【図２】（ａ）は、本発明の第１の実施の形態に関するクレードル内部の構成配置図であり、右側面方向からの平面図である。（ｂ）は、正面方向からの平面図である。
【図３】本発明の実施の形態に関するモノポールアンテナの放射能率と障害物との距離の関係を示し、（ａ）は障害物とアンテナとのオフセットを示す図、（ｂ）はオフセット量に対する放射能率の変化を示す図である。
【図４】（ａ）は、本発明の第２の実施の形態に関するクレードル内部の構成配置図であり、右側面方向からの平面図である。（ｂ）は、正面方向からの平面図である。
【図５】（ａ）は、本発明の第３の実施の形態に関するクレードル内部の構成配置図であり、右側面方向からの平面図である。（ｂ）は、正面方向からの平面図である。
【符号の説明】
【００４５】
１…携帯型情報機器、２…クレードル、２Ａ…クレードルケース、２Ｂ…設置面、３…リモコン、４…アンテナ、５…基板、６…基板、７…障害物、８…高透磁率材、１０…正面、１１…右側面、１２…上側面、１３…下側面、３１…イヤホン、１００…表示部、１０１…タッチパッド、１１０…電源スイッチ、１１１…メニュースイッチ、１１２…音量スイッチ、１１３…ファンクションスイッチ、１２０…ヘッドホン端子、１２１…ホールドスイッチ、１２２…外部電源端子、２００Ａ…接続端子、２００Ｂ…接続端子、３００…再生スイッチ、３０１…音量スイッチ、３０２…ファンクションスイッチ、ｄ１…間隔、ｄ２…間隔、ｄ３…間隔
【図１】
2007180817.tif 000003
【図２】
2007180817.tif 000004
【図３】
2007180817.tif 000005
【図４】
2007180817.tif 000006
【図５】
2007180817.tif 000007